(57)【要約】【課題】  高圧側に作用する圧力が低圧側のローラの軸方向両端に均一に作用するようにして低圧側ローラの回転を円滑にした容量可変回転圧縮機を提供する。【解決手段】  本発明の容量可変回転圧縮機は、仕切り板によりその内部が第１及び第２圧縮室に区画されるハウジングと、前記第１及び第２圧縮室の開閉のために前記第１及び第２圧縮室の所定の位置にそれぞれ取り付けられたフランジと、前記第１及び第２圧縮室と前記仕切り板を貫通する回転軸と、前記回転軸の回転方向の変化にしたがって偏心されたり偏心解除されながら圧縮及び圧縮解除を行うように前記各圧縮室の前記回転軸外面に取り付けられ、相互反対に動作する第１及び第２偏心装置と、前記第１及び第２偏心装置の外面にそれぞれ結合される第１及び第２ローラと；を含み、前記第１及び第２ローラの両端に相殺される軸方向圧力が作用するように前記第１及び第２ローラ端部の内側部分がそれぞれ前記第１及び第２フランジの内面と離隔されるように形成される。【選択図】図７
2005042703.tif 000002
【特許請求の範囲】
【請求項１】
仕切り板と；
前記仕切り板によりその内部が第１及び第２圧縮室に区画されるハウジングと；
前記第１及び第２圧縮室の開閉のために前記第１及び第２圧縮室の所定の位置にそれぞれ取り付けられた第１及び第２フランジと；
前記第１及び第２圧縮室と前記仕切り板を貫通する回転軸と；
前記回転軸の回転方向の変化にしたがって偏心されたり偏心解除されながら圧縮及び圧縮解除を行うように前記各圧縮室の前記回転軸外面に取り付けられ、相互反対に動作する第１及び第２偏心装置と；
前記第１及び第２偏心装置の外面にそれぞれ結合される第１及び第２ローラと；
を含み、前記第１及び第２ローラの両端に相殺される軸方向圧力が作用するように前記第１及び第２ローラ端部の内側部分がそれぞれ前記第１及び第２フランジの内面と離隔するように形成されたことを特徴とする容量可変回転圧縮機。
【請求項２】
前記第１及び第２フランジが第１及び第２ローラと離隔されるように、前記第１及び第２フランジの内面には凹入された円形の離隔溝が形成されたことを特徴とする請求項１に記載の容量可変回転圧縮機。
【請求項３】
前記仕切り板は、中心部に前記回転軸が貫通されるように前記回転軸より大きい貫通穴が形成され、前記離隔溝は、内径が前記貫通穴の内径と同一の大きさに形成されることを特徴とする請求項２に記載の容量可変回転圧縮機。
【請求項４】
前記第１及び第２偏心装置は、
前記第１及び第２圧縮室の回転軸外面にそれぞれ取り付けられる第１及び第２偏心カムと；
前記第１及び第２偏心カムの外面にそれぞれ回転可能に結合され、その外面に前記第１及び第２ローラが結合される第１及び第２偏心ブッシュと；
前記回転軸の回転方向の変化にしたがって前記第１及び第２偏心ブッシュのうちいずれか一つは偏心され、残りの一つは偏心解除された状態でかかるようにするロック装置と；
を含むことを特徴とする請求項１に記載の容量可変回転圧縮機。
【請求項５】
前記第１及び第２偏心ブッシュの偏心方向が相互反対となるように前記第１及び第２偏心ブッシュを連結する円筒形連結部と；
前記第１及び第２偏心カムの間の前記回転軸の外面に前記第１及び第２偏心カムと同方向に偏心されるように設けられる偏心部と；
をさらに含むことを特徴とする請求項４に記載の容量可変回転圧縮機。
【請求項６】
前記ロック装置は、
前記円筒形連結部に円周方向に沿って形成されるロック溝と；
前記回転軸の偏心部に取り付けられ、前記ロック溝に結合されるロックピンと；
を含むことを特徴とする請求項５に記載の容量可変回転圧縮機。
【請求項７】
第１圧縮室の吸入口と吐出口との間に第１ローラの外面と接した状態で半径方向に進退するように設けられた第１ベーンと；
第２圧縮室の吸入口と吐出口との間に第２ローラの外面と接した状態で半径方向に進退するように設けられた第２ベーンと；
第１及び第２ベーンをそれぞれ支持する第１及び第２ベーンバネと；
をさらに含み、
前記第１及び第２圧縮室の吸入口と吐出口は、前記第１及び第２ベーンを基準に相互対向する位置に設けられることを特徴とする請求項４に記載の容量可変回転圧縮機。
【請求項８】
前記第１及び第２圧縮室の吐出口は前記ハウジングに形成される流路を通じて前記密閉容器の内部と連通することを特徴とする請求項７に記載の容量可変回転圧縮機。
【請求項９】
前記ロックピンは、前記偏心部の平面部にネジ結合され、その平面部から突出されることを特徴とする請求項６に記載の容量可変回転圧縮機。
【請求項１０】
前記ロックピンは、前記回転軸の回転にしたがって第１及び第２偏心ブッシュのうちいずれか一つは偏心され、残りの一つは偏心解除された状態でかかるように前記ロック溝に結合されることを特徴とする請求項９に記載の容量可変回転圧縮機。
【請求項１１】
前記ロック溝の対向する両端にロック部が形成され、該ロック溝に前記回転軸の偏心部に取り付けられた前記ロックピンが結合された状態で前記回転軸が回転するとき、前記ロックピンは前記ロック溝内で回転して前記両端のロック部のうち少なくとも一つにかかることを特徴とする請求項１０に記載の容量可変回転圧縮機。
【請求項１２】
前記ロックピンが前記ロック溝のロック部のうちいずれか一方にかかるとき、前記第１及び第２偏心ブッシュのうちいずれか一つは偏心された状態になり、残りの一つは偏心解除された状態になって前記第１及び第２圧縮室のうちいずれか一方では圧縮動作がなされ、残りの一方では空回転がなされることを特徴とする請求項１１に記載の容量可変回転圧縮機。
【請求項１３】
吸入配管の冷媒が第１圧縮室の吸入口または第２圧縮室の吸入口に流入されるように吸入流路を可変する流路可変装置をさらに含むことを特徴とする請求項１に記載の容量可変回転圧縮機。
【請求項１４】
前記流路可変装置は、
円筒形の胴体部と；
前記胴体部の内部に設けられるバルブ装置と；
吸入配管が連結されるように前記胴体部に形成される入口と；
前記胴体部の対向する両側に形成される第１及び第２出口；
前記第１圧縮室の吸入口と前記第２圧縮室の吸入口にそれぞれ連結されると同時に、前記第１及び第２出口にそれぞれ連結される２つの配管と；
を含むことを特徴とする請求項１３に記載の容量可変回転圧縮機。
【請求項１５】
前記バルブ装置は、
両端が開閉される円筒形のバルブシートと；
前記バルブシートの両端を開閉するために胴体部の両側内部に進退可能に設けられる第１及び第２開閉部材と；
前記第１及び第２開閉部材が一緒に動くように第１及び第２開閉部材をお互い連結する連結部材と；
を含むことを特徴とする請求項１４に記載の容量可変回転圧縮機。
【請求項１６】
前記第１圧縮室と第２圧縮室のうちいずれか一方で圧縮動作が行われるとき、前記第１及び第２出口側に作用する圧力差により胴体部内の第１及び第２開閉部材が圧力の低い側に移動しながら自動で吸入流路を転換することを特徴とする請求項１５に記載の容量可変回転圧縮機。
【請求項１７】
前記第１ローラの上端と第２ローラの下端に軸方向圧力が作用するように前記第１ローラはその上端の外側部分が第１フランジと接した状態で回転し、前記第２ローラはその下端の外側部分が第２フランジと接した状態で回転することを特徴とする請求項１に記載の容量可変回転圧縮機。
【請求項１８】
仕切り板と；
前記仕切り板によりその内部が第１及び第２圧縮室に区画されるハウジングと；
前記第１及び第２圧縮室の開閉のために前記第１及び第２圧縮室の所定の位置にそれぞれ取り付けられた第１及び第２フランジと；
前記第１及び第２圧縮室と前記仕切り板を貫通する回転軸と；
前記回転軸の回転方向の変化にしたがって偏心されたり偏心解除されながら圧縮及び圧縮解除を行うように前記各圧縮室の前記回転軸外面に取り付けられ、相互反対に動作する第１及び第２偏心装置と；
前記第１及び第２偏心装置の外面にそれぞれ結合される第１及び第２ローラと；
を含み、前記第１および第２ローラののうち空回転をするローラの両端に相殺される軸方向圧力が作用するように前記第１及び第２ローラ端部の内側部分がそれぞれ前記第１及び第２フランジの内面から離隔するように形成されたことを特徴とする容量可変回転圧縮機。
【請求項１９】
前記第１及び第２ローラのうち圧縮動作がなされるいずれか一つの上端及び下端に同一の大きさの圧力が加えられることによってそのローラの上端に加えられる圧力が下端に加えられる圧力により相殺され、前記ローラが第１及び第２フランジの方に加圧されて密着されたり傾いたりする現象が防止されることを特徴とする請求項１８に記載の容量可変回転圧縮機。
【発明の詳細な説明】
【技術分野】
【０００１】
本発明は、容量可変回転圧縮機に関し、さらに詳細には、低圧側ローラの両端に同一の圧力を印加することによってローラが円滑に回転できるようにする容量可変回転圧縮機に関する。
【背景技術】
【０００２】
一般に、圧縮機は冷サイクルを用いて所定の空間内の空気を冷却する機能を持っている空気調和機及び冷蔵庫などの冷却装置に組み込まれる。冷却装置において圧縮機は、冷却装置の冷凍回路を通じて循環する冷媒を圧縮させる機能を有している。かかる圧縮機の圧縮容量によって冷却装置の冷却能力が決定される。したがって、圧縮機がその圧縮容量を望むとおりに可変させられるように構成された場合、冷却装置を周囲温度と設定された基準温度間の差に基づいて最適の条件で動作させるのが可能であり、これにより、所定の空間内の空気を効率的に冷却させ得ると同時に、エネルギーが節減できる。
【０００３】
上記のような冷却装置では、回転圧縮機、往復圧縮機などの様々な圧縮機が使用されてきたが、本発明は後述するように回転圧縮機に関する。
【０００４】
従来の回転圧縮機は、内部に固定子と回転子が設置された密閉容器を含む。回転子を貫通して回転軸が延長されており、回転軸の外面には偏心カムが一体に備えられている。圧縮室にはローラが偏心カムの外周に結合された状態に設けられている。このように構成された回転圧縮機は、次のように動作する。回転軸が回転すると偏心カムとローラが圧縮室内で偏心回転するようになり、このとき、圧縮室内に冷媒ガスが吸入され、圧縮された後密閉容器の外部に吐出される。
【０００５】
しかし、かかる従来の回転圧縮機は、圧縮容量が固定されているため、周囲温度と設定された基準温度との差に基づいて圧縮容量が可変できないといった問題があった。
【０００６】
つまり、周囲の温度が設定された基準温度より非常に高い場合、周囲の温度を迅速に下げるためには大容量圧縮モードで圧縮機を動作させる必要がある。一方、周囲温度と設定された基準温度との差が大きくない場合には、エネルギー節減のために小容量の圧縮モードで圧縮機を動作させる必要がある。しかし、周囲の温度と設定された基準温度との差に基づいて回転圧縮機の容量を可変させるのが不可能であり、その結果、従来の回転圧縮機は温度変化に有効に対処できず、エネルギーの浪費を招いてきた。
【発明の開示】
【発明が解決しようとする課題】
【０００７】
本発明は、上記の問題点に鑑みてなされたものであり、その目的は、異なる容積を有する２つの圧縮室のいずれか一つで圧縮動作がなされるようにすることによって望むとおりに圧縮容量を可変できるようにすることにある。
【０００８】
本発明の他の目的は、低圧側ローラの両端に均一に圧力を供給することによってローラが円滑に回転できるようにすることにある。
【課題を解決するための手段】
【０００９】
上記の目的を達成するために、本発明に係る容量可変回転圧縮機は、仕切り板によりその内部が第１及び第２圧縮室に区画されるハウジングと、前記第１及び第２圧縮室の開閉のために前記第１及び第２圧縮室の所定の位置にそれぞれ取り付けられた第１及び第２フランジと、前記第１及び第２圧縮室と前記仕切り板を貫通する回転軸と、前記回転軸の回転方向の変化にしたがって偏心されたり偏心解除されながら圧縮及び圧縮解除を行うように前記各圧縮室の前記回転軸外面に取り付けられ、相互反対に動作する第１及び第２偏心装置と、前記第１及び第２偏心装置の外面にそれぞれ結合される第１及び第２ローラと、を含み、前記第１及び第２ローラの両端に相殺される軸方向圧力が作用するように前記第１及び第２ローラ端部の内側部分がそれぞれ前記第１及び第２フランジの内面と離隔されるように形成されたことを特徴とする。
【００１０】
また、前記第１及び第２フランジが第１及び第２ローラと離隔されるように、前記第１及び第２フランジの内面には凹入された円形の離隔溝が形成されたことを特徴とする。
【００１１】
また、前記仕切り板は、中心部に前記回転軸が貫通されるように前記回転軸より大きい貫通穴が形成され、前記離隔溝は、内径が前記貫通穴の内径と同一の大きさに形成されることを特徴とする。
【００１２】
また、前記第１及び第２偏心装置は、前記第１及び第２圧縮室の回転軸外面にそれぞれ取り付けられる第１及び第２偏心カムと、前記第１及び第２偏心カムの外面にそれぞれ回転可能に結合され、その外面に前記第１及び第２ローラが結合される第１及び第２偏心ブッシュと、前記回転軸の回転方向の変化にしたがって前記第１及び第２偏心ブッシュのうちいずれか一つは偏心され、残りの一つは偏心解除された状態でかかるようにするロック装置と、を含むことを特徴とする。
【００１３】
また、本発明に係る容量可変回転圧縮機は、前記第１及び第２偏心ブッシュの偏心方向が相互反対となるように前記第１及び第２偏心ブッシュを連結する円筒形連結部と、前記第１及び第２偏心カムの間の前記回転軸の外面に前記第１及び第２偏心カムと同方向に偏心される偏心部と、をさらに含むことを特徴とする。
【発明の効果】
【００１４】
本発明に係る容量可変回転圧縮機は、第１または第２方向に回転する偏心装置により、異なる容積を有する２つの圧縮室のうちいずれか一つで圧縮動作がなされるようにしたため、望むとおりに圧縮容量を可変することができる。
【００１５】
また、本発明に係る容量可変回転圧縮機によれば、上部と下部のフランジ内面に形成される離隔溝を通じて高圧側から作用する圧力が低圧側のローラの軸方向端部に作用することから空回転をするローラ両端に相殺される軸方向圧力が同一に作用するため、空回転をするローラがフランジに過度に密着されたり傾いたりする現象なく円滑に回転することができる。
【発明を実施するための最良の形態】
【００１６】
以下、本発明に係る好ましい実施例を、添付図面を参照しつつ詳細に説明する。図面中、同一の構成要素には可能な限り同一の参照番号及び符号を共通使用し、周知技術については適宜説明を省略するものとする。
【００１７】
本発明に一実施例による容量可変回転圧縮機は、図１に示すように、密閉容器１０と、該密閉容器１０の内部に設けられ、回転力を発生させる上側の駆動部２０と、該駆動部２０と回転軸２１を介して連結される下側の圧縮部３０とを含めてなる。駆動部２０は、密閉容器１０の内面に固定される円筒形の固定子２２と、固定子２２の内部に回転可能に設けられ、その中心部の回転軸２１に結合される回転子２３とから構成される。この駆動部２０は回転軸２１を正回転または逆回転させる。
【００１８】
圧縮部３０は、上部と下部に異なる容積を有する円筒形の第１圧縮室３１と第２圧縮室３２がそれぞれ形成されたハウジングを備える。該ハウジングは、第１圧縮室３１が形成される第１ハウジング３３ａ、第２圧縮室３２が形成される第２ハウジング３３ｂ、第１圧縮室３１の上部と第２圧縮室３２の下部を閉鎖すると同時に、回転軸２１を回転可能に支持するように第１ハウジング３３ａの上面と第２ハウジング３３ｂの下面にそれぞれ配設される２つのフランジ３５、３６、そして、第１圧縮室３１と第２圧縮室３２を区画するように第１及び第２ハウジング３３ａ、３３ｂの間に配設される仕切り板３４を含む。
【００１９】
第１圧縮室３１と第２圧縮室３２内部の回転軸２１には、図１ないし図４に示すように、上部の第１偏心装置４０と下部の第２偏心装置５０がそれぞれ設けられ、これら偏心装置４０、５０の外面には第１ローラ３７と第２ローラ３８がそれぞれ回転可能な状態に結合される。また、各圧縮室３１、３２の吸入口６３、６４と吐出口６５、６６との間には各ローラ３７、３８の外面と接した状態で半径方向に進退しながら圧縮動作がなされるようにする第１ベーン６１と第２ベーン６２がそれぞれ設けられ、第１及び第２ベーン６１、６２はそれぞれ、ベーンバネ６１ａ、６２ａにより支持される。また、第１及び第２圧縮室３１、３２の吸入口６３、６４と吐出口６５、６６は第１及び第２ベーン６１、６２を基準に相互対向する位置に配置される。ここで、具体的に示してはいないが、第１及び第２吐出口６５、６６はハウジングに形成される流路を通じて密閉容器１０の内部と連通する。
【００２０】
第１及び第２偏心装置４０、５０は、第１及び第２圧縮室３１、３２に対応する位置の回転軸２１の外面に同方向に偏心されるように形成される第１偏心カム４１と第２偏心カム５１を備え、第１及び第２偏心カム４１、５１の外面に回転可能に結合される上部の第１偏心ブッシュ４２と下部の第２偏心ブッシュ５２とを備える。ここで、上部の第１偏心ブッシュ４２と下部の第２偏心ブッシュ５２は、図２に示すように、円筒形からなる連結部４３を介して一体に連結され、偏心方向は相互反対となるように構成される。そして、上述した第１及び第２ローラ３７、３８は第１及び第２偏心ブッシュ４２、５２の外面に回転可能に結合される。
【００２１】
また、図２及び図３に示すように、第１偏心カム４１と第２偏心カム５１との間の回転軸２１の外面には偏心カム４１、５１と同方向に偏心される偏心部４４が設けられ、この偏心部４４には、回転軸２１の回転方向の変化にしたがって第１及び第２偏心ブッシュ４２、５２のうちいずれか一つは回転軸２１から偏心された状態で回転され、残りの一つは偏心解除された状態で回転されるようにするロック装置８０が備えられる。該ロック装置８０は、偏心部４４の一側外面に突出するようにねじ結合されるロックピン８１と、回転軸２１の回転にしたがってロックピン８１が第１及び第２偏心ブッシュ４２、５２の偏心位置と偏心解除位置でそれぞれかかるように第１偏心ブッシュ４２と第２偏心ブッシュ５２を連結する連結部４３に円周方向に沿って長く形成されるロック溝８２とを含む。
【００２２】
この構成によれば、回転軸２１の偏心部４４に結合されたロックピン８１が連結部４３のロック溝８２に進入した状態で回転軸２１の回転にしたがって所定区間回動してロック溝８２両端の第１及び第２ロック部８２ａ、８２ｂのうちいずれか一方にかかり、これにより、第１及び第２偏心ブッシュ４２、５２が回転軸２１とともに回転できるようになる。且つ、ロックピン８１がロック溝８２両端の第１及び第２ロック部８２ａ、８２ｂのうちいずれか一方にかかるとき、第１及び第２偏心ブッシュ４２、５２のうちいずれか一つは偏心された状態になり、残りの一つは偏心解除された状態になるので、第１及び第２圧縮室３１、３２のうちいずれか一方では圧縮動作がなされ、残りの一方では空回転がなされる。勿論、回転軸２１の回転方向が変わると、第１及び第２偏心ブッシュ４２、５２の偏心状態も上述の場合と反対になる。
【００２３】
また、本発明の容量可変回転圧縮機は、図７に示すように、圧縮動作がなされる高圧側から空回転をする低圧側に作用する圧力により低圧側ローラの軸方向両端に圧力偏差が生じる問題を防止できるように上部及び下部フランジ３５、３６と接触するローラ３７、３８の軸方向端部の内側部分が上部及び下部フランジ３５、３６の内面から離隔するように構成される。すなわち、本発明は、第１ローラ３７の上端と第２ローラ３８の下端外側部分だけがフランジ３５、３６と接した状態で回転するように構成され、第１ローラ３７の上端と第２ローラ３８の下端の内側部分がフランジ３５、３６の内面から離隔されることから第１ローラ３７の上端と第２ローラ３８の下端にも軸方向圧力が作用できるように構成される。このような構成のため、上部及び下部フランジ３５、３６の内面には第１及び第２ローラ３７、３８端部の内側部分と離隔されるように所定深さに凹入された円形の上部及び下部離隔溝９１、９２が形成される。また、上部及び下部離隔溝９１、９２の内径(ｄ２)は、回転軸２１の貫通のために仕切り板３４に形成された貫通穴３４ａの内径(ｄ１)と同じ大きさで形成される。
【００２４】
この構成によれば、図７に示すように、圧縮動作がなされる下部の第２圧縮室３２の方から空回転をする上部の第１圧縮室３１の方に圧力が作用するとき、空回転をする第１ローラ３７の上端と下端に互いに相殺される軸方向圧力が加えられるようにすることによって第１ローラ３７が上側フランジ３５の方に加圧されて密着されたり傾いたりする現象なく円滑に回転することができる。ここで、離隔溝９１、９２の内径(ｄ２)を仕切り板３４の貫通穴３４ａの内径(ｄ１)と同一にしたのは、軸方向圧力が作用する第１ローラ３７の下端の面積と第１ローラ３７の上端の面積を同一にして第１ローラ３７の上部と下部において同一の軸方向圧力が作用されるようにするためである。図８は、上部の第１圧縮室３１で圧縮動作がなされ、下部の第２圧縮室３２で空回転がなされる場合を示す例である。
【００２５】
また、本発明の容量可変回転圧縮機は、図１に示すように、吸入配管６９の冷媒が第１圧縮室３１の吸入口６３と第２圧縮室３２の吸入口６４のうち、圧縮動作が行われる吸入口側にのみ流入されるように吸入流路を可変させる流路可変装置７０を備える。
【００２６】
この流路可変装置７０は、円筒形の胴体部７１と、胴体部７１内に設けられるバルブ装置を含む。ここで、胴体部７１の上部中央の入口７２には吸入配管６９が連結され、胴体部７１の下部両側の第１出口７３と第２出口７４には第１圧縮室３１の吸入口６３と第２圧縮室３２の吸入口６４にそれぞれ連結される第１及び第２配管６７、６８が連結される。胴体部７１内部のバルブ装置は、中央に設けられる円筒形のバルブシート７５、このバルブシート７５両端を開閉するために胴体部７１の両側内部に進退可能に設けられる第１開閉部材７６及び第２開閉部材７７、そして第１及び第２開閉部材７６、７７が一緒に動くように第１及び第２開閉部材７６、７７をお互い連結する連結部材７８から構成される。このように構成される流路可変装置７０では、第１圧縮室３１と第２圧縮室３２のうちいずれか一方で圧縮動作が行われるとき、第１及び第２出口７３、７４側に作用する圧力差により胴体部７１の内部の第１開閉部材７６と第２開閉部材７７が圧力の低い側に移動しながら自動で吸入流路を転換する。
【００２７】
次に、本発明に係る容量可変回転圧縮機の動作を説明する。回転軸２１がある方向に回転する時には、図３に示すように、第１圧縮室３１の第１偏心ブッシュ４２の外面が回転軸２１と偏心された状態でロックピン８１がロック溝８２の一側ロック部８２ａにかかった状態になるので、第１ローラ３７が第１圧縮室３１の内面と接して回転しながら第１圧縮室３１の圧縮動作がなされる。この時、第２圧縮室３２では、図４に示すように、第１偏心ブッシュ４２と反対方向に偏心された第２偏心ブッシュ５２の外面が回転軸２１と同心を持つ状態になり、第２ローラ３８が第２圧縮室３２の内面と離隔された状態になるので、空回転がなされる。また、第１圧縮室３１で圧縮動作がなされる時には第１圧縮室３１の吸入口６３側に冷媒が吸入されるので、流路可変装置７０の動作により第１圧縮室３１側にのみ冷媒が吸入されるように吸入流路が形成される。
【００２８】
このような動作は、第１偏心カム４１と第２偏心カム５１が同方向に偏心され、第１偏心ブッシュ４２と第２偏心ブッシュ５２は相互反対の方向に偏心される構造であるゆえに可能である。つまり、第１偏心カム４１の最大偏心部と第１偏心ブッシュ４２の最大偏心部の方向が一致するとき、第２偏心カム５１の最大偏心部と第２偏心ブッシュ５２の最大偏心部の方向は相互反対になるためである。
【００２９】
また、上部の第１圧縮室３１で圧縮動作が行われ、下部の第２圧縮室３２で空回転が行われる時には、図８に示すように、高圧の第１圧縮室３１の方から低圧の第２圧縮室３２の方に圧力が作用しながら第２圧縮室３２内部の第２ローラ３８の上端と下端に圧力が作用する。この時、第２ローラ３８の上端内側部分には仕切り板３４の貫通穴３４ａを通じて上部から軸方向圧力が作用し、第２ローラ３８の下端内側部分には下部フランジ３６の離隔溝９２を通じて下部から軸方向圧力が作用する。これにより、第２ローラ３８の上端と下端には同一の圧力が作用して圧力が相殺されるので、第２ローラ３８が下側フランジ３６に密着されたり傾いたりする現象なく円滑に回転できるようになる。
【００３０】
回転軸２１が図３に示した場合と反対に回転する時には、図５に示すように、第１圧縮室３１の第１偏心ブッシュ４２の外面が回転軸２１と偏心解除された状態でロックピン８１がロック溝８２の他側のロック部８２ｂにかかった状態になるので、第１ローラ３７が第１圧縮室３１の内面から離隔された状態で回転し、第１圧縮室３１では空回転がなされる。この時、第２圧縮室３２では、図６に示すように、第２偏心ブッシュ５２の外面が回転軸２１と偏心された状態になり、第２ローラ３８が第２圧縮室３２の内面と接して回転する状態になるので、圧縮動作がなされる。
【００３１】
また、第２圧縮室３２で圧縮動作がなされる時には、第２圧縮室３２の吸入口６４側に冷媒が吸入されるので、流路可変装置７０の動作により第２圧縮室３２側にのみ冷媒が吸入されるように吸入流路が形成される。また、このように下部の第２圧縮室３２で圧縮動作がなされ、上部の第１圧縮室３１で空回転がなされる時には、図７に示すように、高圧の第２圧縮室３２の方から低圧の第１圧縮室３１の方に圧力が作用しながら第１圧縮室３１内部の第１ローラ３７の上端と下端に圧力が作用する。この時、第１ローラ３７の下端内側部分には仕切り板３４の貫通穴３４ａを通じて下部から軸方向圧力が作用し、第１ローラ３７の上端内側部分には上部フランジ３５の離隔溝９１を通じて上部から軸方向圧力が作用する。これにより、第１ローラ３７は上端と下端に同一の圧力が作用して圧力が相殺されるので、第１ローラ３７が上部フランジ３５に密着されたり傾いたりする現象なく円滑に回転できるようになる。
【図面の簡単な説明】
【００３２】
【図１】本発明の一実施例による容量可変回転圧縮機の構成を示す縦断面図。
【図２】図１の容量可変回転圧縮機における偏心装置の構成を示す斜視図。
【図３】図１の容量可変回転圧縮機において回転軸が第１方向に回転する時、第１圧縮室の圧縮動作を示す横断面図。
【図４】図１の容量可変回転圧縮機において回転軸が第１方向に回転する時、第２圧縮室の空回転動作を示す横断面図。
【図５】図１の容量可変回転圧縮機において回転軸が第２方向に回転する時、第１圧縮室の空回転動作を示す横断面図。
【図６】図１の容量可変回転圧縮機の回転軸が第２方向に回転する時、第２圧縮室の圧縮動作を示す横断面図。
【図７】図１の容量可変回転圧縮機において回転軸が第２方向に回転する時、第１圧縮室の空回転動作を示す縦断面図であり、第１ローラの上部と下部に均一な圧力が作用する状態を示す図。
【図８】図１の容量可変回転圧縮機の回転軸が第１方向に回転する時、第２圧縮室の空回転動作を示す縦断面図であり、第２ローラの上部と下部に均一な圧力が作用する状態を示す図。
【符号の説明】
【００３３】
１０    密閉容器
２０    駆動部
２１    回転軸
２２    固定子
２３    回転子
３０    圧縮部
３１    第１圧縮室
３２    第２圧縮室
３７    第１ローラ
３８    第２ローラ
４０    第１偏心装置
５０    第２偏心装置
７０    流路可変装置
８０    ロック装置
３５    上部フランジ
３６    下部フランジ
９１、９２    離隔溝
【図１】
2005042703.tif 000003
【図２】
2005042703.tif 000004
【図３】
2005042703.tif 000005
【図４】
2005042703.tif 000006
【図５】
2005042703.tif 000007
【図６】
2005042703.tif 000008
【図７】
2005042703.tif 000009
【図８】
2005042703.tif 000010